(57)【要約】【課題】客室等の入り口に設置した光電スイッチか、又は、手動式切替スイッチの作動により、制御回路とモータと圧縮ポンプとを連動させて圧縮空気を圧縮空気噴射ノズルから噴射し、消毒液容器からの消毒液を霧化し、ホースを介して消毒液噴霧ノズルから噴霧するという構造簡単で小型化によって、容易に持運び及び移動可能とし、客室や宴会場及び風呂場等の入口の履物を簡単に消毒することを可能とする。【解決手段】客室等の入り口に設置した光電スイッチか、又は、手動式切替スイッチの作動により、噴霧量設定用の制御回路７を介して所定時間モータ９を回転し、圧縮ポンプ１０を連動させて圧縮空気を圧縮空気噴射ノズル１２から噴射し、霧化室１３にできた内圧により消毒液戻管１４と吸引管１８の消毒液吐出ノズル１９を介して、消毒液容器１６からの消毒液１７を霧化し、ホース１２０を介して前記消毒液を消毒液噴霧ノズル２３から、スリッパ等の履物に向け噴霧して消毒すること。【選択図】  図１
2005095528.tif 000002
【特許請求の範囲】
【請求項１】
入外出時に作動するセンサーにより、噴霧量設定用の制御回路を起動して所定時間モータを回転させ、モータの回転に連動する圧縮ポンプによる圧縮空気を、圧縮空気噴出ノズルから噴出させ、霧化室内に生じる圧力で消毒液戻管の逆止弁を開かせ、消毒液容器内の圧力を高めて吸引管の消毒液吐出ノズルから消毒液を、前記圧縮空気噴出ノズルに吐出して消毒液を霧化させ、霧化した消毒液を噴霧吐出口から吐出させ、噴霧吐出口に連結するホースを介して、噴霧器本体の消毒液噴霧ノズルから消毒液をスリッパ等の履物に向け噴霧することを特徴とする履物消毒方法。
【請求項２】
センサーは、光電スイッチであることを特徴とする請求項１記載の履物消毒方法。
【請求項３】
光電スイッチは、入室する時に作動させ、外出する時には作動しないことを特徴とする請求項１記載の履物消毒方法。
【請求項４】
手動式スイッチによる切替スイッチを作動させることを特徴とする請求項１記載の履物消毒方法。
【請求項５】
光電スイッチ及び手動式スイッチの何れかを作動させることを特徴とする請求項１、３又は４記載の履物消毒方法。
【請求項６】
消毒液霧化装置に連結するホースを噴霧器本体と嵌合自在にし、消毒液霧化装置を他の噴霧器本体にも切替えて作動することを特徴とする請求項１、３、４又は５記載の履物消毒方法。
【請求項７】
入外出時に作動するセンサーと、センサーにより作動する噴霧量設定用の制御回路と、この噴霧量設定用の制御回路の作動により所定時間回転するモータと、モータの回転に連動する空気圧縮ポンプとを設け、前記空気圧縮ポンプに連通する圧縮空気噴出管と、その先端に霧化室内に突出する圧縮空気噴射ノズルを設け、霧化室は空気流入口と、噴霧吐出口と、低部に消毒液戻管とを設けてなり、前記消毒液戻管は先端に逆止弁を有し消毒液容器内に機密に差込まれ、また、消毒液容器には吸引管を機密に差込み、その吸引管の上端に嵌合した消毒液吐出ノズルを、前記圧縮空気噴射ノズルの直前に対設し、前記霧化室の噴霧吐出口にはホースを嵌合し、このホースの他端は噴霧器本体の噴霧管と嵌合自在に連結し、噴霧管には複数の消毒液噴霧ノズルを配設したことを特徴とするスリッパ等の履物消毒液噴霧装置。
【請求項８】
センサーは、光電スイッチであることを特徴とする請求項７記載のスリッパ等の履物消毒液噴霧装置。
【請求項９】
光電スイッチは、入室する時に作動し、外出する時には作動しないことを特徴とする請求項７記載のスリッパ等の履物消毒液噴霧装置。
【請求項１０】
手動式切替スイッチを設け、この手動式切替スイッチにより作動することを特徴とする請求項７記載のスリッパ等の履物消毒液噴霧装置。
【請求項１１】
光電スイッチ及び手動式スイッチを設け、この何れかにより作動することを特徴とする請求項７、９又は１０記載のスリッパ等の履物消毒液噴霧装置。
【請求項１２】
噴霧器本体は、框に固定又は取外し自在に設けたことを特徴とする請求項７、９、１０、１１記載のスリッパ等の履物消毒液噴霧装置。
【請求項１３】
霧化室は、横紡錘形か又は球形であり、かつ、前記圧縮空気噴射ノズルより後方に空気流入口と、前記圧縮空気噴射ノズルの噴射方向前方の絞り込み部に設けた噴霧吐出口と、底部に消毒液戻管とを設けたことを特徴とする請求項７記載のスリッパ等の履物消毒液噴霧装置。
【発明の詳細な説明】
【技術分野】
【０００１】  本発明は、入室時におけるスリッパ等の履物の消毒に関する。
【背景技術】
【０００２】  従来客室等、特に旅館又はホテルなどにおける客室や宴会場及び風呂場の脱衣室（以下、「風呂場」いう）において、常備してあるスリッパ、草履又はサンダル等の履物を、お客又は利用者（以下「利用者」という）が使用しているが、利用者は不特定多数の人々であって、これらの履物は素足や靴下又は足袋等さまざまな状態で利用していた。【０００３】  そのため、これらの履物はいろいろな利用者により雑菌に汚染されていることもあって、そのまま繰り返し他のいろいろな利用者が使用することは、衛生観念上利用者には決して良いことではなく、また、不快で抵抗を感じ好感を与えるものではなかった。
このような観点においてみると、旅館又はホテルなどにおける客室や宴会場及び風呂場のような公共の場所において、履物を消毒すると言う手段はなかった。【０００４】  ただ、既に知られているものとして、病院や診療所用に、連続して多数のスリッパを導く上下方向の複数のガイドレールに、複数足ずつ横並びに支持又は解放可能なストッパをガイドレールの下に設置し、ストッパを通過したスリッパは紫外線又はオゾンで表裏共に消毒され、消毒後のスリッパは斜面上を一列に整理されて、前後のスリッパと当接してストックされ、下方の取出口にある先頭のスリッパが取出されると、次ぎのスリッパが斜面を滑って自動的に取出口に移動するようにした大掛かりなスリッパ消毒供給装置が知られている。【０００５】  しかし、このような大掛かりなスリッパ消毒供給装置では、特定の場所に設置するしかできず、個々の客室や宴会場及び風呂場に軽便に設置し、又は、移動して自由に使用することは出来なかった。
【特許文献１】特開平１０−２９５４５６号公報
【発明の開示】
【発明が解決しようとする課題】
【０００６】  解決しようとする問題点は、前記既に知られているスリッパ消毒供給装置は大掛かりで、個々の客室や宴会場及び風呂場の入口に軽便に設置し、かつ、容易に持運び又は移動可能にできないという問題点である。
本発明は、このような問題に鑑みてなされたものであり、その目的とするところは、個々の客室や宴会場及び風呂場の入口に軽便に設置し、かつ、容易に持運び又は移動可能にできるスリッパ等の履物消毒方法及び装置を提供するものである。
【課題を解決するための手段】
【０００７】  前記目的を達成するために、本発明におけるスリッパ等の履物消毒方法及び装置は、入室する時に作動し、外出する時は作動しない光電スイッチを作動させるか、また、手動による切替スイッチを作動させるか、何れかのスイッチの作動により、噴霧量設定用の制御回路を介して所定時間モータを回転させ、消毒液噴霧ノズルから消毒液をスリッパ等の履物に向け噴霧し消毒することを特徴とする。
また、同様の目的で、消毒液霧化装置と噴霧器本体とを連結するホースを取外し可能にして、消毒液霧化装置を他の客室や宴会場及び風呂場の入口に軽便に設置し、かつ、容易に持運び又は移動可能に設置することを特徴とする。
【発明の効果】
【０００８】  本発明のスリッパ等の履物消毒液噴霧方法及び装置は、個々の客室や宴会場及び風呂場の入口に設置することによって、利用者が入室する時に作動し、外出する時は作動しない光電スイッチを設けて作動するようにしたので、利用者が一人でも入室すれば、光電スイッチが作動して噴霧量設定用の制御回路を介して所定時間モータを回転させ、所定量の消毒液をスリッパ等の履物に向け噴霧し、簡単に消毒することができる。【０００９】  また、前記光電スイッチとは別に設けた、手動による切替スイッチに切替えることによっても、宴会場の広間や大きな風呂場における多数のスリッパ等の履物を、仲居さんの手で整理又は整頓した上で、手動による切替スイッチを操作することによって、１度に多数のスリッパ等の履物を簡単に消毒することができる。【００１０】  さらに、スリッパ等の履物消毒液噴霧装置は、構造が簡単で軽量であるので、消毒液噴霧ノズルを内蔵する噴霧器本体を、客室や宴会場の大広間入口及び風呂場の入口などの框に、取外し可能に設けるか、又は、取付けて消毒液霧化装置に連結するホースを噴霧器本体の噴霧管に取外し可能に設けることにより、必要に応じて他の場所の噴霧器本体の噴霧管に嵌合して連結し、スリッパ等の履物消毒液噴霧装置を容易に持ち運び又は移動して利用することができる。
【発明を実施するための最良の形態】
【００１１】  光電スイッチや手動による切替えスイッチによって作動し、連結ホースを介して簡単に消毒駅噴霧ノズルから噴霧するようにしたスリッパ等の履物消毒装置を、客室など個々の場所に持運び又は移動可能にして、容易に利用し易くする目的から、構造簡単にして軽量化を図り、使用しやすい構成にした。
【実施例１】
【００１２】  以下、本発明の実施例を図面に基づいて説明する。
図１は、本発明によるスリッパ等の履物消毒液噴霧装置の１実施例を示す正面断面図であり、図２はその使用状態の斜視図であり、図３はその原理的説明図であり、また、図４は噴霧器本体の斜視図、図５は光電スイッチの時間と出力関係図である。【００１３】  そこで、先ず、本発明の原理的な説明図である図３について説明する。
本発明のスリッパ等の履物消毒液噴霧装置１００を構成する消毒液霧化装置１１０の空気圧縮機用格納室１内に、制御用電源３、光電スイッチ５及び手動による切替スイッチ（以下「手動式切替スイッチ」という）６、制御回路７、可変抵抗８、モータ９、圧縮ポンプ１０が内蔵されている。
前記圧縮ポンプ１０から消毒液霧化循環器用格納室２内へ圧縮空気噴出管１１が連通し、その先端には霧化室１３内に突出する圧縮空気噴射ノズル１２が設けられ、前記霧化室１３の低部には消毒液戻管１４とそれに設けられた逆止弁１５が消毒液容器１６に差込まれ、また、他方この消毒液容器」６に差込まれている吸引管１８の消毒液吐出ノズル」９が、前記圧縮空気噴射ノズル１２の直前に対設している。
前記霧化室１３の噴霧吐出口２１と連結ホース１２０が、噴霧器本体１３０の噴霧管２２と連結し、噴霧管２２には消毒液噴霧ノズル２３が設けられている。【００１４】  以上図３を念頭にしてその具体的構成を、図１、図２、図４により説明する。
本発明のスリッパ等の履物消毒液噴霧装置１００は、消毒液霧化装置１１０と、噴霧器本体１３０と、この両者に連結するホース１２０とから構成されている。【００１５】  前記消毒液霧化装置１１０は、空気圧縮機用格納室１と消毒液霧化循環器用格納室２とから構成され、空気圧縮機用格納室１には、前記図３に示された制御用電源３に光電スイッチ５と手動式切替スイッチ６とが接続し、さらに可変抵抗８から構成された制御回路７が設けられ、これら両スイッチは空気圧縮機用格納室１の外側、即ち、図２において、光電スイッチ５は客室入口、例えば一方の柱２４の下部にＡ１とＡ２の送信器が、他方の柱２４の下部にＢ１とＢ２の受信器が、それぞれ対向して設けられている。また、切替スイッチ６は消毒液霧化装置１１０の操作し易い外側に設けられている。【００１６】  そして図４において、前記可変抵抗８による動作時間設定用時定数回路や電圧調整のための制御回路７と、これに接続するモータ９とが設けられ、このモータ９にはソケットを有するコードが、商用電源４へ接続されるよう設けられている。また、モータ９には圧縮ポンプ１０が連動するよう設けられ、圧縮ポンプ１０には圧縮空気噴出管１１が連通され、その先端の圧縮空気噴射ノズル１２が、消毒液霧化循環器用格納室２内に設けられた横紡錘形又は球形の霧化室１３内に突出して設けられている。【００１７】  消毒液霧化循環器用格納室２における霧化室１３には、横紡錘形の底部に消毒液戻管１４とそれに設けられた逆止弁１５が消毒液容器１６に機密に差込まれ、また、他方この消毒液容器１６の消毒液１７中に機密に差込まれている吸引管１８とその先端に消毒液吐出ノズル１９が、前記圧縮空気噴射ノズル１２の噴射側直前に対設されている。また、霧化室１３の上部には前記圧縮空気噴射ノズル１２の後方に位置して空気流入口２０が設けられ、さらに、霧化室１３の噴射方向前方の絞り込み部に噴霧吐出口２１が消毒液霧化循環器用格納室２から突出している。【００１８】  前記噴霧吐出口２１にはホース１２０が取外し可能に嵌合され、また、図４に示されているように、ホース１２０は他端も噴霧器本体１３０の噴霧管２２に取外し可能に嵌合されている。
噴霧管２２には少なくともスリッパ等の履物の幅以内の間隔（図２参照）で、消毒液噴霧ノズル２３が多数のスリッパ等の履物に向けて下方へ傾斜して設けられ、かつ、噴霧管２２は先端へかけて徐々に細くして（図４参照）各消毒液噴霧ノズル２３からの消毒液の噴霧量が均一になるように構成されている。
噴霧器本体１３０は、客室入口の框２５の前部に固走して常設するか、取外し可能に取付けられている。【００１９】  次に図５について説明すると、光電スイッチ５は、送信器Ａ１と受信器Ｂ１とからなる送受信器及び送信器Ａ２と受信器Ｂ２とからなる送受信器の２組の光電スイッチにより構成される。
入室時のようにＢ１出力が先に生じ、Ｂ２出力が遅れて生じる時に前記制御回路７を起動し、可変抵抗８によって時定数を調整して所定時間（例えば、１０秒間位）モータ９を回転する。また、外出時のようにＢ２出力が先に生じ、Ｂ１出力が遅れて生じる時には、前記制御回路７を起動しないようにセットされている。【００２０】  そこで本発明の作用を説明する。光電スイッチ５を使用する場合について。
利用者が入室すると柱２４に設けられた光電スイッチ５が作動して制御回路７を起動し、可変抵抗８によって時定数を調整した所定時間、例えば十秒位の間モータ９を回転する。モータ９の回転と共に圧縮ポンプ１０が回転して圧縮空気が圧縮空気噴出管１１を通して圧縮空気噴射ノズル１２から霧化室１３内に噴射する。この噴射によって空気流入口２０からの空気流入とともに霧化室１３内の圧は上がり、消毒液戻管１４の逆止弁１５を押し開き、消毒液容器１６の内圧を高め消毒液１７を吸引管１８を通して消毒液吐出ノズル１９から、前記圧縮空気噴射ノズル１２の噴射によって希薄になった噴射内に吐出することによって、消毒液は霧化される。【００２１】  霧化された消毒液は、噴射方向前方に霧化室１３が絞られた噴霧吐出口２１からホース１２０を通して噴霧器本体１３０に噴出され、先端方向へ徐々に細くなった噴霧管２２を通して各消毒液噴霧ノズル２３から、斜め下方のスリッパ等の履物に向けて消毒液を均一に噴霧することを特徴とする。
一方前記霧化された消毒液の一部は、霧化室１３が絞られた内壁に当たりながら垂れ落ち、消毒液戻管１４を通して霧化室１３の内圧により消毒液容器１６に戻され循環される。【００２２】  また、手動式切替スイッチ６による場合について。
宴会場又は風呂場においては、利用者が多数のためスリッパ等の履物は散乱しがちになるので、仲居さんらが履物を整頓してから、消毒液霧化装置１１０の操作し易い外側に設けられている手動式切替スイッチ６に切り替えて、手動式切替スイッチ６をＯＮにすることによって、所定時間モータ９を回転させ、以下は前記光電スイッチ５と同様に作動してスリッパ等の履物を消毒する。また、必要の場合には、手動式切替スイッチ６を  旦ＯＦにして再度ＯＮに繰り返せば、再度モータ９を回転させるので、充分な噴霧量の消毒が可能である。【００２３】  以上スリッパ等の履物消毒液噴霧装置１００は、必要に応じて噴霧器本体１３０を客室等の入口における框２５などに固定しておいて、消毒液霧化装置１１０と連結するホース１２０の嵌合を抜き外して、消毒液霧化装置１１０のみ他の客室に持運ぶか移動させて、ホース１２０をそこの噴霧器本体１３０の噴霧管２２に嵌合することによって、必要な部屋などにも使用することができる。また、前記噴霧器本体１３０を框２５などに取外し可能にして、消毒液霧化装置１１０とともに一緒に持運ぶか移動させて、必要な部屋などにも使用させることができる。【００２４】  このようなスリッパ等の履物消毒液噴霧装置１００を採用したので、個々の客室や宴会場及び風呂場の入口に、利用者が入室する時には作動し、外出する時は作動しない光電スイッチ５を設けて作動するようにしたので、利用者が一人でも入室すれば、光電スイッチ５が作動して噴霧量設定用の制御回路７を介して所定時間モータ９を回転させ、所定量の消毒液をスリッパ等の履物に向け噴霧し、簡単で便利に消毒することができる。そのため、利用者には衛生的で、かつ、爽やかな気分にすることができる。【００２５】  また、前記光電スイッチ５とは別に設けた、手動式切替スイッチ６で切替えることによっても、宴会場の広間や大きな風呂場における多数のスリッパ等の履物を、仲居さんなどの手で整頓した上で、手動式切替スイッチ６を操作することによって、１度に多数のスリッパ等の履物を簡単に消毒することができる。また、必要に応じて手動式切替スイッチ６を繰返し操作することによって、さらに充分な消毒をすることができ衛生的である。【００２６】  さらに、スリッパ等の履物消毒液噴霧装置１００は、構造が簡単で軽量であるので、消毒液噴霧ノズル２３を内蔵する噴霧器本体１３０を、客室や宴会場等の大広間入口及び風呂場の入口などの框２５に、取外し可能に設けるか、または、その框２５に固定的に取付けて置いて消毒液霧化装置１１０に連結するホース１２０を噴霧器本体１３０の噴霧管２２に取外し可能に設けるかすることによって、噴霧器本体１３０と共に、または、ホース１２０を噴霧器本体の噴霧管２２の嵌合から抜き外して、必要に応じて他の場所の噴霧器本体１３０の噴霧管２２に嵌合することによって、スリッパ等の履物消毒液噴霧装置１００を容易に持ち運び又は移動して使用することができる。
【産業上の利用可能性】
【００２７】  最近仕事も含めて旅行趣向が盛んになり、外国からも旅行客等が増えてきているが、ホテルや旅館、温泉場及び集会場等において、多くの利用者が共用するスリッパやサンダル等の履物は、いろいろと汚染されるケースが多くなりつつある。
このような状況において、本発明によるスリッパ等の履物消毒液噴霧装置は、前記場所における客室や宴会場及び風呂場などにおいで使用することで、いろいろの汚染を未然に消毒することができ、きわめて衛生的であり、かつ、利用者に爽やかな気分を与えることができる。
また、構造が簡単で軽量なため、持運び及び移動が簡単で、しかも、消毒が簡単であるので、きわめて便利で、かつ、利用性が高い。
【図面の簡単な説明】
【００２８】
【図１】スリッパ等の履物消毒液噴霧装置の１実施例を示す正面断面図
【図２】スリッパ等の履物消毒液噴霧装置の使用状態の斜視図
【図３】スリッパ等の履物消毒液噴霧装置の原理的説明図
【図４】噴霧器本体の斜視図
【図５】光電スイッチの時間と出力関係表
【符号の説明】
【００２９】      １  空気圧縮器用格納室
２  消毒液霧化循環用格納室
３  制御用電源
４  商用電源
５  光電スイッチ
Ａ１、Ａ２  送信器
Ｂ１、Ｂ２  受信器
６  手動式切替スイッチ
７  制御回路
８  可変抵抗
９  モータ
１０  圧縮ポンプ
１１  圧縮空気噴出管
１２  圧縮空気噴射ノズル
１３  霧化室
１４  消毒液戻管
１５  逆止弁
１６  消毒液容器
１７  消毒液
１８  吸引管
１９  消毒液吐出ノズル
２０  空気流入口
２１  噴霧吐出口
２２  噴霧管
２３  消毒液噴霧ノズル
２４  柱
２５  框
１００  スリッパ等の履物消毒液噴霧装置
１１０  消毒液霧化装置
１２０  ホース
１３０  噴霧器本体
【図１】
2005095528.tif 000003
【図２】
2005095528.tif 000004
【図３】
2005095528.tif 000005
【図４】
2005095528.tif 000006
【図５】
2005095528.tif 000007